(57)【特許請求の範囲】
【請求項１】
カード筐体内に著作権保護用の処理を行う信号処理手段が搭載された第１の半導体メモリカードと、前記第１の半導体メモリカードと外形形状及びサイズが同一又は略同一とされるカード筐体内に前記著作権保護用の処理を行う信号処理手段が搭載されていない第２の半導体メモリカードとが存在するとともに、
当該半導体メモリカードが、前記第１又は第２の半導体メモリカードのうちの一方であるときは、そのカード筐体の全部又は一部が半透明とされ、当該半導体メモリカードが、前記第１又は第２の半導体メモリカードのうちの他方であるときは、そのカード筐体の全部又は一部が不透明とされていることでユーザが判別可能となるようにした半導体メモリカード。
【請求項２】
カード筐体内に著作権保護用の処理を行う信号処理手段が搭載された第１の半導体メモリカードと、前記第１の半導体メモリカードと外形形状及びサイズが同一又は略同一とされるカード筐体内に前記著作権保護用の処理を行う信号処理手段が搭載されていない第２の半導体メモリカードとが存在するとともに、
当該半導体メモリカードが、前記第１又は第２の半導体メモリカードのうちの一方であるときは、そのカード筐体の全部又は一部が透明とされ、当該半導体メモリカードが、前記第１又は第２の半導体メモリカードのうちの他方であるときは、そのカード筐体の全部又は一部が半透明とされていることでユーザが判別可能となるようにした半導体メモリカード。
【請求項３】
カード筐体内に著作権保護用の処理を行う信号処理手段が搭載された第１の半導体メモリカードと、前記第１の半導体メモリカードと外形形状及びサイズが同一又は略同一とされるカード筐体内に前記著作権保護用の処理を行う信号処理手段が搭載されていない第２の半導体メモリカードとが存在するとともに、
当該半導体メモリカードが、前記第１又は第２の半導体メモリカードのうちの一方であるときは、そのカード筐体の全部又は一部が透明とされ、当該半導体メモリカードが、前記第１又は第２の半導体メモリカードのうちの他方であるときは、そのカード筐体の全部又は一部が不透明とされていることでユーザが判別可能となるようにした半導体メモリカード。
【請求項４】
カード筐体の種類として、
筐体の少なくとも一部が半透明の半透明筐体と、
筐体の少なくとも一部が透明の透明筐体と、
筐体の全てが不透明の不透明筐体と、
のうちの少なくとも２種を含む複数種類が規定されており、
且つ、規定された前記複数種類のカード筐体のうちの少なくとも１種が、著作権対応として規定され、前記複数種類のカード筐体のうちの他の少なくとも１種が、非著作権対応として規定されている場合に、
本体となる前記著作権対応の１種のカード筐体内に、著作権保護用の処理を行う信号処理手段を備えた半導体メモリカード。
【発明の詳細な説明】
【０００１】
【発明の属する技術分野】
本発明は不揮発性メモリを記憶媒体として用いる半導体メモリカードに関するものである。
【０００２】
【従来の技術】
近年、例えばフラッシュメモリなどの不揮発性メモリを記録素子として搭載した小型のメモリカードが開発されている。
このようなメモリカードは、例えば専用のドライブ装置により、或いはドライブ装置が内蔵されたオーディオ／ビデオ機器、情報機器などにより、各種情報の書込／読出が可能とされる。
例えばドライブ装置を内蔵したデジタルスチルカメラにおいて撮影されたスチルイメージデータを記憶させるようにしたり、さらにはコンピュータデータ、動画像データ、音楽データ、音声データなどを記録できるようにするものも開発されている。
【０００３】
特にこのようなメモリカードに対するドライブ機構としては、ディスク状記録媒体やテープ状記録媒体のように複雑な構成（例えば回転或いは走行機構、ヘッド機構、サーボ系等）が必要なく、しかもアクセス性や書込／読出速度の点で優れていることから、低コスト、低消費電力、小型／薄型化などが実現できるため、各種装置に搭載しやすい。そしてそのような事情から半導体メモリカードは非常に有用な記憶メディアとして開発が進められている。
【０００４】
【発明が解決しようとする課題】
ところで既に普及しているディスクメディアやテープメディアの中には、例えばＭＤ（ミニディスク）やフロッピーディスク、或いはカセットテープ、ＤＡＴ（デジタルオーディオテープ）など、ディスク又はテープとしてのメディアがいわゆるカートリッジ内に収納されたものがある。
そしてこれらのカートリッジとしては、一部が透明もしくは半透明とされ、内部のディスクやテープが視認できるようにしたものもある。
この場合、ユーザーは内部の機構を知ることができたり、テープやディスクの様子を視覚的に確認できたりし、またデザイン的にも楽しめるものとなっていた。
【０００５】
しかしながら半導体メモリカードの場合、特にディスクやテープのような動的な記録媒体が内蔵されているものではないなどの事情から、カード筐体は不透明なものとされている。
ところがこれによって、一般ユーザーには半導体メモリカードの構造がわかりにくく、特に記憶メディアとしてのディスクやテープとの差異も理解しにくいものとなっていた。さらにデザイン的なおもしろさにも欠けることがあった。
【０００６】
また、半導体メモリカードにより、音楽や映像データの記録再生が実現される状況となることに応じて、データの違法コピー等を防止するなど著作権保護を実現する必要が生じる。
そこでメモリカード内に、認証処理や暗号化処理の為の信号処理回路を搭載し、暗号化やもしくは所定の認証処理などが行われるようにすることで、違法コピーを防止できるようにするものも開発されている。
ところが、メモリカードに音声や映像データを記録するという用途に関しては、著作権保護が不要な場合もある。例えば会議等の口述音声の記録やユーザーのメモ録音などの用途では著作権保護は不要であり、従ってそのような場合は従前の、著作権保護のための信号処理回路を搭載していないメモリカードを用いることが好適である。
このような事情から、カード筐体内に著作権保護用の処理を行う信号処理回路が搭載された半導体メモリカードと、カード筐体内に上記信号処理回路が搭載されていない半導体メモリカードの２種類が存在することになり、例えばメモリカードに対応する１つの記録再生装置において、その両方が装填可能な状況となっている。
【０００７】
このような状況下では、ユーザーは使用目的に応じてメモリカードを使い分けなければならないが、互換性の維持等のため外形形状及びサイズが同一又は略同一とされる上記２種類のメモリカードは、ユーザーにとって見分けがつきにくく、うまく使い分けられないといった問題がある。
【０００８】
【課題を解決するための手段】
本発明はこれらの事情に鑑みて、デザイン的なおもしろさや内部視認性を実現すること、及び、２種類の半導体メモリカードが存在する状況下においての種別判別性の向上を目的とする。
【０００９】
このため本発明では、カード筐体内に不揮発性メモリが搭載された基板が配されている半導体メモリカードにおいて、前記カード筐体は、その上面及び底面を含めた全部が同一の樹脂材料によって透明又は半透明に成形されていることにより、内部構造がカード筐体外部から視認可能に表れるようにするものである。
また透明又は半透明とされる前記カード筐体は、着色されているようにする。
【００１０】
また本発明では、カード筐体内に著作権保護用の処理を行う信号処理手段が搭載された第１の半導体メモリカードと、前記第１の半導体メモリカードと外形形状及びサイズが同一又は略同一とされるカード筐体内に前記著作権保護用の処理を行う信号処理手段が搭載されていない第２の半導体メモリカードとが存在する場合において、本発明の半導体メモリカードが、第１又は第２の半導体メモリカードのうちの一方であるときは、そのカード筐体の全部又は一部が半透明とされ、本発明の半導体メモリカードが、第１又は第２の半導体メモリカードのうちの他方であるときは、そのカード筐体の全部又は一部が不透明とされることでユーザが判別可能となるようにする。
又は、一方であるときはカード筐体の全部又は一部が透明とされ、他方であるときはカード筐体の全部又は一部が半透明とされることでユーザが判別可能となるようにする。
さらに又は、一方であるときはカード筐体の全部又は一部が透明とされ、他方であるときはカード筐体の全部又は一部が不透明とされることでユーザが判別可能となるようにする。
つまり、カード筐体を透明、半透明、不透明のうちで異ならせることにより、メモリカードが第１、第２のうちのいずれの種別のメモリカードであるかが判別できるようにする。
【００１１】
【発明の実施の形態】
以下、本発明の実施の形態について説明する。
まず図１〜図５を参照しながら、請求項１〜３にかかる第１の実施の形態及びその変形例について述べる。
【００１２】
まず図１、図２により、本例の半導体メモリカード（以下、メモリカード）１の外形形状及び内部構造について説明する。なお、後述するように本例のメモリカード１はカード筐体の全部又は一部が透明又は不透明なものであるが、図１では外形の理解を容易とするために、外部から視認できる内部構造については図示を省略している。
【００１３】
メモリカード１の外形は、例えば図１に示すような板状のカード筐体により形成される。そしてその内部に例えば所定容量のの半導体メモリ素子を備える。本例としては、この半導体メモリ素子としてフラッシュメモリ（Flash Memory）が用いられるものである。
図１に平面図、正面図、側面図、底面図として示す筐体は例えばプラスチックモールドにより形成され、サイズの具体例としては、図に示す幅Ｗ１１、Ｗ１２、Ｗ１３のそれぞれが、Ｗ１１＝６０ｍｍ、Ｗ１２＝２０ｍｍ、Ｗ１３＝２．８ｍｍとなる。
【００１４】
筐体の正面下部から底面側にかけて例えば１０個の電極を持つ端子部２が形成されており、この端子部２から、内部のメモリ素子に対する読出又は書込動作が行われる。
筐体の平面方向の左上部は切欠部３とされる。この切欠部３は、このメモリカード１を、例えばドライブ装置側の着脱機構へ装填する際などに挿入方向を誤ることを防止するためのものとなる。
また筐体上面から底面側にかけて、ラベル貼付面４が形成され、ユーザーが記憶内容を書いたラベルを貼付できるようにされている。
さらに底面側には、記録内容の誤消去を防止する目的のスライドスイッチ５が形成されている。
【００１５】
このようなメモリカード１においては、フラッシュメモリ容量としては、４ＭＢ（メガバイト），８ＭＢ，１６ＭＢ，３２ＭＢ，６４ＭＢ，１２８ＭＢの何れかであるものとして規定されている。
またデータ記録／再生のためのファイルシステムとして、いわゆるＦＡＴ（File Allocation Table）システムが用いられている。
【００１６】
書込速度は１５００ＫＢｙｔｅ／ｓｅｃ〜３３０ＫＢｙｔｅ／ｓｅｃ、読出速度は２．４５ＭＢｙｔｅ／ｓｅｃとされ、書込単位は５１２バイト、消去ブロックサイズは８ＫＢ又は１６ＫＢとされる。
また電源電圧Ｖｃｃは２．７〜３．６Ｖ、シリアルクロックＳＣＬＫは最高２０ＭＨｚとされる。
【００１７】
図２に端子部２の電極構造及び内部の回路構成を示す。図１からもわかるように端子部２は１０個の平面電極が１列に並んだ構造とされる。各電極（端子Ｔ１〜Ｔ１０）は次の通りである。
【００１８】
端子Ｔ１及びＴ１０は検出電圧Ｖｓｓ端子（グランド線ＧＮＤ）とされる。
端子Ｔ２は、シリアルプロトコルバスステート信号ＢＳの入力端子とされる。
端子Ｔ３及びＴ９は電源電圧Ｖｃｃ端子とされる。
端子Ｔ４はデータ端子、つまりシリアルプロトコルデータ信号の入出力端子とされる。
端子Ｔ５及びＴ７はリザーブ（予備）とされる。
端子Ｔ６は検出端子とされ、ドライブ装置がメモリカードの装着検出に用いる。
端子Ｔ８は、シリアルクロックＳＣＬＫの入力端子とされる。
【００１９】
またメモリカード１の内部には、コントロールＩＣ１０、フラッシュメモリ１１、水晶発振器１２、スイッチ５ａが配される。
コントロールＩＣ１０はフラッシュメモリ１１に対する書込／読出動作を実行する部位となる。
図からわかるように、コントロールＩＣ１０に対しては、端子Ｔ２からのシリアルプロトコルバスステート信号ＢＳ、端子Ｔ８からのシリアルクロックＳＣＬＫが供給される。書込動作時には、コントロールＩＣ１０は、これらのシリアルプロトコルバスステート信号ＢＳ、シリアルクロックＳＣＬＫに従って、端子Ｔ４から供給されるデータのフラッシュメモリ１１への書込を行う。また読出時には、シリアルプロトコルバスステート信号ＢＳ、シリアルクロックＳＣＬＫに従って、フラッシュメモリ１１からデータを読み出し、端子Ｔ４から図示しないドライブ装置側に出力する。
【００２０】
また検出電圧Ｖｓｓは、検出端子Ｔ６に供給されており、ドライブ装置側では、図示するように抵抗Ｒによって検出端子Ｔ６の端子電圧を検出することで、このメモリカード１が装着部（後述するコネクタ）に接続されているか否かを検出できるようにされる。
【００２１】
スイッチ５ａは上記スライドスイッチ５により開閉されるスイッチであり、コントロールＩＣ１０はこのスイッチ５ａの開閉状態に応じて、書込可能／書込不能を設定する。
またコントロールＩＣ１０は、水晶発振器１２からの出力により所要の内部クロックを得る。
【００２２】
この図１、図２により説明した本例のメモリカード１の実際の外観を表す斜視図を図３に示す。
この図からわかるように、メモリカード１のカード筐体はその全体が透明樹脂により形成されている。例えばカード筐体がＡＢＳ（アクリルニトリルーブタジェンスチレン共重合樹脂）、スチレン、又はポリカーボネートなどで透明に形成する。
そしてこれによって上述したような内部の構造が視認できる。
すなわち、基板１３、及び基板１３上に配されているコントロールＩＣ１０、フラッシュメモリ１１、水晶発振器１２がカード上面側から視認できる。また図示していないが、底面側からは基板１３のプリントパターンやスライドスイッチ５の搭載部分などが視認できることになる。
【００２３】
このようにカード筐体が透明に形成され、ユーザーが内部構造が視認できるようにされていることで、このメモリカード１は、デザイン的におもしろいものとすることができ、ユーザーの楽しみを広げることができる。
また、メモリカード１の内部には半導体メモリ（フラッシュメモリ１１）などが搭載されていることをユーザーが知ることができ、例えばディスクやテープとは全く異なったメディアであることを一見して理解できるものとなる。またユーザーの理解を広げることで、メモリカードの利点や多様な使用形態を一般に浸透させることもできる。
【００２４】
ところで、本発明としては多様な変形例が考えられ、以下それらについて述べていく。
まず、上記図３の例はカード筐体の全体を透明としたが、カード筐体の一部を透明とし、一部を不透明としてもよい。
【００２５】
例えば図４は、カード筐体においてラベル貼付面４のみが透明とされ、他の部位は不透明とされているものである。
このようにすると、上述のようにデザイン的なおもしろさや、内部構成についてのユーザーの理解を深めるという効果を得ることができると共に、例えば内部が視認できることをデザイン上好まないユーザーは、ラベルを貼付することで対応できることになる。
【００２６】
また図５は逆に、ラベル貼付面４のみが不透明とされ、他の部位が透明とされている例である。
この場合は、ラベルを貼付するか否かにかかわらず、透明部分は同一に保たれるため、透明筐体によって得られるデザイン的効果は常に同一に保つことができる。
【００２７】
もちろん透明部分と不透明部分を混在させる場合において、透明部分の位置設定は、これら以外にも多様に考えられる。
例えば上面側のみ透明、底面側のみ透明、側面のみ透明などといった例もあり得る。
【００２８】
またこれまでの例ではカード筐体の全部又は一部が透明であると述べたが、それらにおいて透明であると説明してきた部位が、半透明とされるものであってもよい。
さらには、それらの部位が、無色透明又は無色半透明ではなく、着色された透明もしくは半透明であってもよい。
例えば一般に、スケルトンカラー、又はシースルーカラー、又はトランスルーセントカラーなどと呼ばれるように、赤、青など各種の色で着色された透明又は半透明とされることで、デザイン的なおもしろさは非常に向上される。
さらに各種の色によるスケルトンカラーのメモリカード１を提供することで、ユーザーは好みに応じて購入したり、或いは他種類のカラーのメモリカードを購入して使用目的別やジャンル別に使い分けたりすることも可能となる。またその場合はメモリカードの整理がしやすいものとなる。
特にメモリカード１は近年のマルチメディアシステムに適合でき、音楽、映像、データファイル等、多様な情報の記憶が想定されている。従って色分けなどで使い分けたり整理可能とすることは、ユーザーにとって非常に便利なものとできる。
もちろんメーカー側が使用目的別に異なるカラーでメモリカードを提供するようにしてもよい。
【００２９】
また、１つのメモリカードに他種類の色を用いることも考えられる。例えばレインボーカラーであってかつ内部が視認できるようなメモリカード１も可能である。
さらに、以上のように透明、半透明、着色透明、着色半透明などが考えられるが、これらが混在するようなメモリカードを形成してもよい。
【００３０】
さらに、内部構成についてのユーザーの理解を促進するために、例えば内部のＩＣチップに対する名称が筐体上に表示されるようにすることも考えられる。例えばフラッシュメモリ１１の直上面となる筐体上に、「８Ｍbyteフラッシュメモリ」などと表示する（つまり、その文字の真下にメモリチップが見えるようにする）ことで、内部構造及び性能などが理解しやすいものとなる。
【００３１】
また本発明の半導体メモリカードとしては、上記例のような形状のもののみではなく、例えば名刺サイズのメモリカードなど、あらゆる半導体メモリカードとして適用できる。
もちろん、内部構成や記憶容量、使用対象、記憶するデータ内容などは、上記例に限らず、あらゆるメモリカードに適用できる。
【００３２】
続いて、図６〜図９を参照しながら、請求項４〜６にかかる第２の実施の形態及びその変形例について述べる。
【００３３】
この例は、基本的には上記図１〜図５で説明したメモリカード１と同様の内部構成を持つものであるが、著作権対応の信号処理回路を搭載したメモリカードと、そのような信号処理回路を搭載していないメモリカードという、２種類のメモリカードが存在する場合において、その種別をユーザーが容易に判別できるようにするために、種別に応じてメモリカード筐体を形成するものである。即ち、透明、半透明、不透明の違いにより、メモリカード種別を示すようにする。
【００３４】
ここでは、本例のメモリカードに対応する記録再生装置の構成、及び２種類の各メモリカードの構成、及び記録再生動作について説明していく。
【００３５】
図６に、本例のメモリカードを記録媒体として用いる記録再生装置（以下、レコーダ１０１）及び本例のメモリカード４０の構成を示す。
このレコーダ１０１は、フラッシュメモリを内蔵したメモリカード４０に対してデジタルオーディオ信号等についての記録再生を行う。ただし、このレコーダ１０１及びメモリカード４０による記録再生システムは、ディジタルオーディオ信号以外に動画データ、静止画データ等の記録／再生も実行可能である。
【００３６】
図６においては、破線で囲むそれぞれの部位としてレコーダ１０１及びメモリカード４０の構成を示している。メモリカード４０はレコーダ１０１に対して着脱自在とされる。なお、メモリカード４０は著作権対応の信号処理回路（セキュリティブロック５２）を搭載したメモリカードであり、著作権対応の信号処理回路を搭載していないメモリカードは、メモリカード４０’として後述する。
【００３７】
レコーダ１０１は、ＣＰＵ１０２と、このＣＰＵ１０２に対してバスで接続されたセキュリティブロック１０３と、操作部１０４と、表示デバイス１０５とを有している。
セキュリティブロック１０３は、ＤＥＳ(Data Encryption Standard)の暗号化回路や認証処理のための回路を含む。
【００３８】
操作部１０４としてはユーザーが各種操作を行うために、記録や再生に関する各種のキー、ボタン、ジョグダイヤルなどが設けられる。
そして操作部１０４からのユーザの操作に応じて発生した録音指令、再生指令等の操作情報は、バスを介してＣＰＵ１０２に与えられる。
表示デバイス１０５は、例えば液晶パネルなどで形成され、ＣＰＵ１０２の制御に基づいて、種々の情報やレコーダ１０１の動作状態等が表示される。
【００３９】
さらにレコーダ１０１には、オーディオインターフェース１０６、エンコーダ／デコーダ１０７、Ａ／Ｄ変換器１０９、Ｄ／Ａ変換器１１２が設けられる。
オーディオインターフェース１０６は、外部入出力と内部のエンコーダ／デコーダ１０７との間のオーディオデータのインターフェース処理を行う。
【００４０】
エンコーダ／デコーダ１０７は、ディジタルオーディオ信号を高能率符号化し、また、高能率符号化データを復号する。
高能率符号化方法としては、ミニディスクシステムで採用されているＡＴＲＡＣ(Adaptive Transform Acoustic Coding)を改良した方式（ＡＴＲＡＣ３と表記する）が使用できる。ＡＴＲＡＣ３では、４４．１ｋHzでサンプリングした１サンプル１６ビットのオーディオデータを処理する。ＡＴＲＡＣ３でオーディオデータを処理する時の最小のデータ単位がサウンドユニット（ＳＵ）である。１ＳＵは、１０２４サンプル分（１０２４×１６ビット×２チャンネル）を数百バイトに圧縮したものであり、時間にして約２．３ｍ秒である。このようなＡＴＲＡＣ３によりオーディオデータが約１／１０のデータ量に圧縮される。なお圧縮／伸長処理による音質の劣化は少ない。
【００４１】
外部のオーディオ出力機器、例えばＣＤプレーヤやＭＤ（ミニディスク）プレーヤの再生出力、チューナの出力、テーププレーヤの再生出力等として、アナログオーディオ信号が当該レコーダ１０１に供給される場合は、そのアナログオーディオ信号は端子１０８からＡ／Ｄ変換器１０９に供給されてディジタルオーディオ信号へ変換され、オーディオインターフェース１０６に供給される。
また、例えば同じく外部のオーディオ出力機器からの再生出力や、ディジタル放送の受信データ、ネットワークで配信されたオーディオデータ等としてデジタルオーディオ信号がレコーダ１０１に供給される場合は、そのデジタルオーディオ信号は端子１１０からオーディオインターフェース１０６に供給される。このディジタルオーディオ信号は、外部機器から例えば光ケーブルを介してレコーダ１０１に伝送される。
【００４２】
オーディオインターフェース１０６では、このように入力されるオーディオ信号の選択処理が行われ、選択されたオーディオ信号がエンコーダ／デコーダ１０７に供給される。
エンコーダ／デコーダ１０７では、供給されるディジタルオーディオ信号に対して上記の高能率符号化の処理を行い、符号化データをセキュリティブロック１０３に供給する。
【００４３】
セキュリティブロック１０３においては、供給された符号化データを暗号化する。
セキュリティブロック１０３及び後述するメモリカード４０内のセキュリティブロック５２は、コンテンツ（ここでは、ディジタルオーディオ信号）の著作権を保護するために備えられているもので、レコーダ１０１のセキュリティブロック１０３は、複数のマスターキーと機器毎にユニークなストレージキーを持つ。そしてこれらキーを用いて暗号化及び暗号解読処理を行うことができる。
さらにセッションキーを生成する乱数発生回路を持つ。そして当該レコーダ１０１にセキュリティブロック５２を内蔵するメモリカード４０が装着された時に、装着されたメモリカード４０が真正なものであるか否かを確認する認証を行い、正しく認証できれば、セキュリティブロック５２との間でセッションキーを共有することができる。
またセキュリティブロック１０３、５２は、それぞれが所定の認証処理を行うための機能を備えている。
【００４４】
詳しくは後述するが、メモリカード４０は、フラッシュメモリ（不揮発性メモリ）４２、ＤＥＳの暗号化回路を含むセキュリティブロック５２、通信用インターフェース、レジスタ等が１チップ上にＩＣ化されたものである。
このメモリカード４０は、レコーダ１０１に対して着脱自在とされている。なお本例のレコーダ１０１では、暗号化機能を有しないメモリカード、すなわち、セキュリティブロックを有しない、後述するメモリカード４０’を使用することも可能とされている。
【００４５】
上述のように入力され、エンコーダ／デコーダ１０７での高能率符号化処理及びセキュリティブロック１０３での暗号化処理が施されたオーディオデータはＣＰＵ１０２に供給される。
ＣＰＵ１０２は、図示しない着脱機構に装着されたメモリカード４０と、メモリインタフェース１１１を介して通信を行なう。なお、メモリインタフェース１１１によって、ＣＰＵ１０２とメモリカード４０との間では、シリアル通信がなされる。
ＣＰＵ１０２は、セキュリティブロック１０３での暗号化処理が施されたオーディオデータを、メモリインターフェース１１１を介してメモリカード４０に供給し、フラッシュメモリ４２に書き込む。
以上の経路で、入力されたオーディオ信号がメモリカード４０に記録される。
【００４６】
メモリカード４０に記録されたオーディオデータを再生する際には、ＣＰＵ１０２はメモリインターフェース１１を介してフラッシュメモリ４２から読み出させたオーディオデータを転送させて取り込む。そして読み出されたオーディオデータ、即ち暗号化されているオーディオデータをセキュリティブロック１０３に供給して暗号解読としての復号化を実行させる。さらに解読されたオーディオデータをエンコーダ／デコーダ１０７によって圧縮処理に対する復号化処理を実行させる。
【００４７】
エンコーダ／デコーダ１０７での復号処理により４４．１ｋHzサンプリングで１サンプル１６ビットのデータとされたオーディオ信号は、オーディオインターフェース１０６を介してＤ／Ａ変換器１１２に供給されてアナログオーディオ信号とされ、端子１１３から外部機器に出力される。
又は、エンコーダ／デコーダ１０７からのオーディオデータ、並びにセキュリティブロック１０３からの復号化データは、オーディオインターフェース１０６を介してディジタルデータとして端子１１４および端子１１５から外部機器に出力される。
【００４８】
なお、以上の説明において、メモリカード４０へのオーディオデータの記録の際の暗号化、及びメモリカード４０からの再生時の暗号解読は、レコーダ１０１側のセキュリティブロック１０３で行われるようにしたが、これらがメモリカード１内のセキュリティブロック５２で行われるようにしてもよい。
また、記録時にはセキュリティブロック１０３で暗号化され、再生時にはセキュリティブロック５２で暗号解読が行われるようにしてもよいし、逆に記録時にはセキュリティブロック５２で暗号化され、再生時にはセキュリティブロック１０３で暗号解読が行われるようにしてもよい。
さらに、記録時にセキュリティブロック１０３とセキュリティブロック５２で２重に暗号化され、再生時にはセキュリティブロック５２とセキュリティブロック１０３で暗号解読が行われるようにしてもよい。
セキュリティブロック１０３、５２は、それぞれ同様の暗号化機能を持つものとすることで、暗号化及び解読のためのキーの共有、授受などの設定により、これらのうちの任意の方式を実現できる。
【００４９】
またセキュリティブロック１０３、５２は、暗号化及び暗号解読機能以外に、認証機能を備えるものであり、レコーダ１０１にメモリカード４０が装着された際には、セキュリティブロック１０３とセキュリティブロック５２の間での認証データの送受信を行い、そのデータ通信の結果により、認証ＯＫ／ＮＧの判断を行う。そして例えば認証ＮＧの場合は、レコーダ１０１はそのメモリカード４０に対して記録／再生動作を実行させないなどとする処理方式も実現可能となる。
認証処理の具体的な方式としては、レコーダ１０１にメモリカード４０が装着された際に、レコーダ１０１側がセキュリティブロック１０３内に保持している或る第１の認証データをメモリカード４０側に送信する。メモリカード４０のセキュリティブロック５２は、送信されてきた或る第１の認証データに対して、予め決められている方式で対応する第２の認証データを発生させ、第１の認証データに第２の認証データを付加してレコーダ１０１側に送信する。
レコーダ１０１側では、ＣＰＵ１０２が、メモリカード４０から第１の認証データに対して適正に対応する第２の認証データが送信されてきたか否かを監視することにより認証ＯＫ／ＮＧを判断できる。
このような認証機能と、暗号化／解読機能は、上述のように主に著作権保護のために設けられているものである。
【００５０】
図７はメモリカード４０の構成を示す。
このメモリカード４０は、コントロールブロック４１とフラッシュメモリ４２が１チップＩＣとして構成されたものである。
即ち基本的には図２で説明したメモリカード１と同様であるが、図７は著作権対応のメモリカード４０としての構成を詳しく示したものである。
【００５１】
レコーダ１０１のＣＰＵ１０２とメモリカード４０との間の双方向シリアルインタフェース（メモリインタフェース１１１）は、端子Ｔ１〜Ｔ１０を介した１０本の信号線からなる。
これらの各信号線は、図２で説明したとおりである。
【００５２】
又、メモリカード４０の内部にはコントロールブロック４１及びフラッシュメモリ４２が設けられる。これは図２のコントロールＩＣ１０、フラッシュメモリ１１に相当する。
【００５３】
コントロールブロック４１のシリアル／パラレル変換・パラレル／シリアル変換・インタフェースブロック（Ｓ／Ｐ，Ｐ／Ｓ，ＩＦブロックと略す）４３は、上述した複数の線を介して接続されたレコーダ１０１のメモリインタフェース１１とコントロールブロック４１とのインタフェースである。
このＳ／Ｐ，Ｐ／Ｓ，ＩＦブロック４３は、レコーダ１０１から受け取ったシリアルデータをパラレルデータに変換してコントロールブロック４１内に取り込み、またコントロールブロック４１からのパラレルデータをシリアルデータに変換してレコーダ１０１に送る処理を行う。
【００５４】
また、Ｓ／Ｐ，Ｐ／Ｓ，ＩＦブロック４３は、データ線ＤＩＯを介して伝送されるコマンドおよびデータを受け取った時に、フラッシュメモリ４２に対する通常のアクセスのためのコマンドおよびデータと、暗号化に必要なコマンドおよびデータとを分離する。
つまり、データ線ＤＩＯを介して伝送される信号フォーマットとしては、最初にコマンドが伝送され、その後にデータが伝送されるため、Ｓ／Ｐ，Ｐ／Ｓ，ＩＦブロック４３は、コマンドのコードを見て、通常のアクセスに必要なコマンドおよびデータか、暗号化が必要なコマンドおよびデータかを判別する。
この判別結果に従って、通常のアクセスに必要なコマンドをコマンドレジスタ４４に格納し、データをページバッファ４５およびライトレジスタ４６に格納する。
【００５５】
ライトレジスタ４６と関連してエラー訂正符号化回路４７が設けられている。エラー訂正符号化回路４７は、ページバッファ４５に一時的に蓄えられたデータに対してエラー訂正符号の冗長コードを生成する。
コマンドレジスタ４４、ページバッファ４５、ライトレジスタ４６およびエラー訂正符号化回路４７の出力データがフラッシュメモリインタフェースおよびシーケンサ（メモリＩＦ，シーケンサと略す）５１に供給される。
【００５６】
メモリＩＦ，シーケンサ５１は、コントロールブロック４１とフラッシュメモリ４２とのインタフェースであり、両者の間のデータのやり取りを制御する。このメモリＩＦ，シーケンサ５１を介してデータがフラッシュメモリ４２に書き込まれることになる。
【００５７】
データの読出時には、フラッシュメモリ４２から読み出されたデータがメモリＩＦ，シーケンサ５１を介してページバッファ４５、リードレジスタ４８、エラー訂正回路４９に供給される。
ページバッファ４５に記憶されたデータはエラー訂正回路４９によってエラー訂正がなされる。そしてエラー訂正がされたページバッファ４５の出力およびリードレジスタ４８の出力がＳ／Ｐ，Ｐ／Ｓ，ＩＦブロック４３に供給され、上述したシリアルインタフェースを介してレコーダ１０１のＣＰＵ１０２に供給される。
【００５８】
なお、コンフィグレーションＲＯＭ５０は、メモリカード４０のバージョン情報、各種の属性情報等が格納されている部位である。
またメモリカード４０には、ユーザが必要に応じて操作可能な誤消去防止用のスイッチ６０が備えられている。このスイッチ６０が消去禁止の接続状態にある場合には、フラッシュメモリ４２内のデータを消去することを指示するコマンドがレコーダ１０１側から送られてきても、フラッシュメモリ４２の消去が禁止される。
発振器６１は、メモリカード４０の処理のタイミング基準となるクロックを発生する部位である。
【００５９】
上述したように著作権保護のために、レコーダ１０１のセキュリティブロック１０３とメモリカード４０のセキュリティブロック５２とによって、認証処理や、フラッシュメモリ４２に書き込まれるコンテンツ（ＡＴＲＡＣ３により圧縮されたオーディオデータ、以下ＡＴＲＡＣ３データと表記する）の暗号化が行われる。
セキュリティブロック５２は、バッファメモリ５３、ＤＥＳの暗号化回路５４、不揮発性メモリ５５等を有する。
【００６０】
このセキュリティブロック５２は、複数の認証キーとメモリカード毎にユニークなストレージキーを持つ。
不揮発性メモリ５５は、暗号化に必要なキーを格納するもので、外部からは見えない（読み出せない）ものとされている。例えばストレージキーが不揮発性メモリ５５に格納される。
【００６１】
さらに、乱数発生回路を持ち、専用（ある決められたデータフォーマット等の使用が同じシステム内の意味）レコーダ１０１と正しく認証ができ、セッションキーを共有できる。
ＡＴＲＡＣ３データを暗号化するためのコンテンツキーは、セッションキーで暗号化されてレコーダ１０１とメモリカード４０との間で伝送される。
またメモリカード４０のセキュリティブロック５２と同様に、レコーダ１０１のセキュリティブロック１０３もセット固有のストレージキーを有する。例えば暗号化されたコンテンツを移動する時に、ストレージキーを使用してコンテンツキーが掛け直される。
【００６２】
図８は、暗号化機能を有しない（すなわち、著作権に関するセキュリティに対応していない）メモリカード４０’を示す。なお、図７のメモリカード４０と同一部分は同一符号を付し、説明を省略する。
即ちこのメモリカード４０’も、基本的には図２で説明したメモリカード１と同様であるが、図８は非著作権対応のメモリカード４０’としての構成を詳しく示したものである。
【００６３】
図７により説明したメモリカード４０と比較すると、Ｓ／Ｐ，Ｐ／Ｓ，ＩＦブロック４３に対して、セキュリティブロック５２が接続されていないことが異なる。その他の構成に関してはメモリカード４０と４０’は同一である。
また図示していないが、形状、サイズもメモリカード４０、４０’は同一（図１に示した形状及びサイズ）とされている。
【００６４】
図７に示すレコーダ１０１は、著作権対応のものであるので、メモリカードとの相互認証、暗号処理に用いるキーの通信等を行う。
もしレコーダ１０１に、非著作権対応のメモリカード４０’を装着すると、レコーダ１０１は、そのメモリカード４０’を使用できない（少なくとも著作権保護が必要なデータの記録用途には使用できない）ものと判定する。
【００６５】
レコーダ１０１がメモリカードの種類を判定する方法としては、幾つかの方法がある。
一つの方法では、認証時の応答状態を監視する。
メモリカードが装着された時には、上述したようにレコーダ１０１（ＣＰＵ１０２）は認証を行うためにメモリカードに対して第１の認証データを伝送するが、メモリカード４０’が装着されていた場合は、セキュリティブロック５２が存在しないため、メモリカード４０’からは、正規の応答（上述した第２の認証データ）を受信できない。
従ってＣＰＵ１０２は、第１の認証データの送信後、或る時間を経過しても正規の応答が得られなかった場合は、装着されたメモリカードが非著作権対応のものと判定できる。
【００６６】
他の方法としては、メモリカードの領域（ブート領域）中に、セキュリティ対応／非対応の識別情報を記録しておく方法がある。
即ちＣＰＵ１０２はメモリカードが装着された時に、最初にレコーダ１０１に読み込まれるブート領域のデータ中における、セキュリティ対応／非対応の識別情報を読み取り、この識別情報に基づいてレコーダ１０１がメモリカードの種類（４０又は４０’）を判定することができる。
【００６７】
ところで、図１に示すレコーダ１０１に限らず、セキュリティ非対応のメモリカード４０’を使用するようにした機器（レコーダ）も存在する。
例えばＣＣＤカメラで撮影した画像をメモリカードに記録し、メモリカードから撮影画像を再生する機能を有する、ディジタルハンディムービーなどとしての機器は、メモリカード４０’を使用できる。そして、かかるディジタルハンディムービーなどは、セキュリティ対応のメモリカード４０を使用できないのが普通である。
更に、テープレコーダに替わる口述記録を上記メモリカードに行う所謂ＩＣレコーダに関しては、記録する会議の内容に対しては通常著作権を気にしなくてよいものであるため、上記メモリカード４０’を使用するようにする。
つまり、記録内容として著作権がからまない音声データを対象とする機器では、メモリカード４０’を使用するものとされる。
このような機器としてのレコーダは、例えば図１の構成からセキュリティブロック１０３を除いた構成とされる。
【００６８】
なお、このようなレコーダでメモリカード４０’にオーディオデータ等を記録する場合、暗号化処理は行われないが、圧縮処理は行われる。
その圧縮方式は上記レコーダ１０１と同様にＡＴＲＡＣ３でもよいし、或いはＡＴＲＡＣ、もしくはＡＤＰＣＭなど他の圧縮方式が採用されてもよい。
つまり上述のように、メモリカード４０には、ＡＴＲＡＣ３圧縮処理及び暗号化処理が施されたデータが記録されるが、メモリカード４０’には、ＡＴＲＡＣ３もしくは他の方式での圧縮処理が施され、暗号化処理は施されていないデータが記録されるものとなる。
【００６９】
一方、同じくオーディオデータを記録対象とするレコーダでも、ＣＤプレーヤ等のデジタルオーデイオ機器から出力されたデジタルオーデイオ信号に圧縮を施してメモリカードに記録する音楽用のレコーダ（携帯端末）においては、著作権保護を実現しなければならないため、メモリカード４０を使用するようにし、認証、及び暗号化が実行できるようにしている。
【００７０】
このように著作権の保護の必要の有無の事情から、本例のレコーダ１０１については、メモリカード４０が使用されるべきものとなるが、上述のようにメモリカード４０とメモリカード４０’は外観形状及びサイズが同一であり、見分けがつきにくいことで、ユーザーが正確に使い分けを行うことが困難であり、結果として、レコーダ１０１にメモリカード４０’を装着してしまうということが、多々発生すると考えられる。
【００７１】
そこで本例では、メモリカード４０、４０’を、ユーザーが一目で見分けがつくようにするものである。
即ち、メモリカード４０とメモリカード４０’では、そのカード筐体が、透明、不透明、半透明のうちで互いに異なるものとされるようにすることで、ユーザーが判別できるようにする。
【００７２】
著作権対応のメモリカード４０と非著作権対応のメモリカード４０’におけるカード筐体の設定の各種例を図９にまとめて示す。
【００７３】
図９に示す例１は、著作権対応のメモリカード４０のカード筐体は、図１〜図３で示したように、その一部又は全部が透明のものとする。一方、非著作権対応のメモリカード４０’は、その一部又は全部が不透明のものとする。
これにより、ユーザーはカード筐体の全部又は一部が透明であれば、そのメモリカードはメモリカード４０であると判別でき、一方、透明でなければそのメモリカードはメモリカード４０’であると判別できる。
【００７４】
他の例２〜例６も、同じくユーザーが一目でメモリカード種別を判別できる例である。
例２の場合は、著作権対応のメモリカード４０のカード筐体は、その一部又は全部が不透明のものとする。一方、非著作権対応のメモリカード４０’は、その一部又は全部が透明のものとする。
例３の場合は、著作権対応のメモリカード４０のカード筐体は、その一部又は全部が半透明のものとする。一方、非著作権対応のメモリカード４０’は、その一部又は全部が透明のものとする。
例４の場合は、著作権対応のメモリカード４０のカード筐体は、その一部又は全部が透明のものとする。一方、非著作権対応のメモリカード４０’は、その一部又は全部が半透明のものとする。
例５の場合は、著作権対応のメモリカード４０のカード筐体は、その一部又は全部が半透明のものとする。一方、非著作権対応のメモリカード４０’は、その一部又は全部が不透明のものとする。
例６の場合は、著作権対応のメモリカード４０のカード筐体は、その一部又は全部が不透明のものとする。一方、非著作権対応のメモリカード４０’は、その一部又は全部が半透明のものとする。
【００７５】
これら例１〜例６のいずれが採用される場合であっても、ユーザーは、メモリカードを見ただけで、そのメモリカードが著作権対応のメモリカード４０であるか非著作権対応のメモリカード４０’であるかが認識できるようになり、従って用途やレコーダの種別に応じて適切にメモリカードを選択できるようになる。
【００７６】
なお、以上の例では、カード筐体について透明、不透明、半透明のうちで互いに異なるものとすることで、メモリカード４０、４０’を識別できるようにしたが、さらに多様な変形例が考えられる。
例えば透明、不透明、半透明の設定とともに、カード筐体のカラーを互いに異なるものとすることでも、容易な判別を実現できる。
【００７７】
また、上記実施の形態で説明した、２種類存在する半導体メモリカードとしては、上記例のような形状のもののみではなく、例えば名刺サイズのメモリカードなど、あらゆる半導体メモリカードとして適用できる。
もちろん、内部構成や記憶容量、使用対象、記憶するデータ内容などは、上記例に限らず、あらゆるメモリカードに適用できる。
さらに、２種類のメモリカードの識別について説明してきたが、同一形状及びサイズの３種類以上のメモリカードが存在する場合についても、本発明を応用できることはいうまでもない。
【００７８】
【発明の効果】
以上の説明からわかるように本発明では、カード筐体の全部が透明又は半透明とされ、内部の基板やメモリチップ等が視認できるようにされているため、デザイン的に多様かつ面白味のある半導体メモリカードを提供できるという効果がある。さらに、内部構成が視認できることから、ユーザーが半導体メモリカードが、ディスクメディアやテープメディアとは全く異なったものであることを認識でき、その理解を深めることができるとともに、それによってメモリカードの特徴、使用方法や使用形態、取り扱いなどにも理解を進めることができる。
さらに、透明又は半透明とされる部位は、着色されていることで、視覚的なおもしろさの向上やデザインの多様性をさらに広げたり、或いはメモリカードの整理や使い分けに役立てるということも可能となる。
【００７９】
また本発明では、カード筐体内に著作権保護用の処理を行う信号処理手段が搭載された第１の半導体メモリカードと、カード筐体内に上記信号処理手段が搭載されていない第２の半導体メモリカードとが存在する場合において、本発明の半導体メモリカードが、第１又は第２の半導体メモリカードのうちの一方であるときは、そのカード筐体の全部又は一部が半透明とされ、本発明の半導体メモリカードが、第１又は第２の半導体メモリカードのうちの他方であるときは、そのカード筐体の全部又は一部が不透明とされるようにしている。
又は、一方であるときはカード筐体の全部又は一部が透明とされ、他方であるときはカード筐体の全部又は一部が半透明とされるようにしている。
さらに又は、一方であるときはカード筐体の全部又は一部が透明とされ、他方であるときはカード筐体の全部又は一部が不透明とされるようにしている。
これによりユーザーはカード筐体が透明、半透明、不透明の別によって、そのメモリカードが第１の半導体メモリカードであるか第２の半導体メモリカードであるかが一目で判別できるようになり、従って用途や記録再生装置の種別に応じて適切に半導体メモリカードを選択して使用できるという効果がある。
【図面の簡単な説明】
【図１】本発明の実施の形態のメモリカードの外形形状を示す平面図、正面図、側面図、底面図である。
【図２】実施の形態のメモリカードの内部構造の説明図である。
【図３】実施の形態のメモリカードの外観を示す斜視図である。
【図４】他の実施の形態のメモリカードの外観を示す斜視図である。
【図５】さらに他の実施の形態のメモリカードの外観を示す斜視図である。
【図６】実施の形態のメモリカードを用いるレコーダのブロック図である。
【図７】実施の形態の著作権対応のメモリカードのブロック図である。
【図８】    実施の形態の非著作権対応のメモリカードのブロック図である。
【図９】実施の形態のメモリカードのカード筐体設定例の説明図である。
【符号の説明】
１  メモリカード、２  端子部、３  切欠部、４  ラベル貼付面、５  スライドスイッチ、１０  コントロールＩＣ、１１，４２  フラッシュメモリ、１２  水晶発振器、４０  著作権対応のメモリカード、４０’  非著作権対応のメモリカード、４１  コントロールブロック、５２  セキュリティブロック
【図１】
0004470242.tif 000002
【図２】
0004470242.tif 000003
【図３】
0004470242.tif 000004
【図４】
0004470242.tif 000005
【図５】
0004470242.tif 000006
【図６】
0004470242.tif 000007
【図７】
0004470242.tif 000008
【図８】
0004470242.tif 000009
【図９】
0004470242.tif 000010